(57)【要約】【課題】ユーザの誤操作を回避しユーザが意図する処理を確実に行うことができるようにする。【解決手段】メイン設定となる給紙方法を指定する用紙トレイ選択の選択肢（「自動選択」，「トレイ１」〜「トレイＮ」，「トレイ１」〜「トレイＭ」）毎の用紙種別を指定するサブ設定画面に遷移する「手差し設定」選択ボタン或いは「用紙種類の優先指定」選択ボタンのいずれかが押下された場合、その選択された「手差し設定」選択ボタン或いは「用紙種類の優先指定」選択ボタンで特定されるサブ設定がその時指定されているメイン設定の給紙方法の選択肢に有効なものであるかどうかを判定し、有効なものでないと判定した場合にユーザに対して誤操作を警告する警告メッセージを表示し、その後の動作をユーザに指定させる。【選択図】  図４
2005011253.tif 000002
【特許請求の範囲】
【請求項１】
複数のメイン設定と、前記複数のメイン設定毎にその詳細を設定する複数のサブ設定との２段階の設定が行え、各メイン設定のメイン設定内容毎に関連付けて前記サブ設定のサブ設定内容を保存し、該保存した設定内容に基づいて所定の処理を行う処理装置において、
前記サブ設定のサブ設定内容を指定する指示がされた場合、その時に指定されているメイン設定内容が当該指示対象のサブ設定で有効なものであるか否かを判定する判定手段と、
前記判定手段により有効なものでないと判定した場合、誤操作を警告する警告手段と
を具備することを特徴とする処理装置。
【請求項２】
前記警告手段は、
誤操作を警告する際、現在指定されているメイン設定内容を有効なメイン設定内容に自動的に変更しても良いかを問い合わせ、
前記問い合わせに対して自動的に変更しても良い応答が合った場合、現在指定されているメイン設定内容を有効なメイン設定内容に自動的に変更する自動変更手段
を更に具備することを特徴とする請求項１記載の処理装置。
【請求項３】
前記処理装置は、前記保存した設定内容に基づいて印刷ジョブを生成し、印刷装置に出力する印刷指示端末であり、
前記複数のメイン設定は、給紙方法を指定する複数の給紙方法設定であり、
前記複数のサブ設定は、前記複数の給紙方法毎の用紙種別を指定する複数の用紙種別設定であり、
前記判定手段は、
前記用紙種別設定の用紙種別情報を指定する指示がされた場合、その時に指定されている給紙方法設定が当該指示対象の用紙種別設定で有効なものであるか否かを判定する
ことを特徴とする請求項１又は２記載の処理装置。
【請求項４】
複数の給紙方法の中からいずれかの給紙方法を指定するメイン設定と、前記メイン設定で指定された複数の給紙方法毎に用紙種別を指定するサブ設定との２段階の設定が行え、前記メイン設定で指定される給紙方法情報毎に前記サブ設定で指定された用紙種別情報を関連付けて保存し、該保存した設定情報に基づいて印刷ジョブを生成して印刷装置に出力する印刷指示端末において、前記サブ設定の用紙種別を指定する指示がされた場合、その時に指定されているメイン設定の給紙方法情報が当該指示対象のサブ設定で有効なものであるか否かを判定する判定手段と、
前記判定手段により有効なものでないと判定した場合、誤操作を警告する警告手段と
を具備することを特徴とする印刷指示端末。
【請求項５】
前記警告手段は、
誤操作を警告する際、現在指定されているメイン設定の給紙方法情報を有効な給紙方法情報に自動的に変更しても良いかを問い合わせ、
前記問い合わせに対して自動的に変更しても良い応答が合った場合、現在指定されているメイン設定の給紙方法情報を有効な給紙方法情報に自動的に変更する自動変更手段
を更に具備することを特徴とする請求項４記載の印刷指示端末。
【請求項６】
複数のメイン設定と、前記複数のメイン設定毎にその詳細を設定する複数のサブ設定との２段階の設定が行え、各メイン設定のメイン設定内容毎に関連付けて前記サブ設定のサブ設定内容を保存し、該保存した設定内容に基づいて所定の処理を行う処理装置で用いられる処理プログラムであって、
前記サブ設定のサブ設定内容を指定する指示がされた場合、その時に指定されているメイン設定内容が当該指示対象のサブ設定で有効なものであるか否かを判定する判定ステップと、
前記判定ステップにより有効なものでないと判定した場合、誤操作を警告する処理を行う警告処理ステップと
を実行することを特徴とする処理プログラム。
【請求項７】
前記警告処理ステップは、
誤操作を警告する処理を行う際、現在指定されているメイン設定内容を有効なメイン設定内容に自動的に変更しても良いかを問い合わせる処理を行う処理ステップと、
前記処理ステップによる問い合わせに対して自動的に変更しても良い応答が合った場合、現在指定されているメイン設定内容を有効なメイン設定内容に自動的に変更処理する自動変更処理ステップと
を実行することを特徴とする請求項６記載の処理プログラム。
【請求項８】
複数の給紙方法の中からいずれかの給紙方法を指定するメイン設定と、前記メイン設定で指定された複数の給紙方法毎に用紙種別を指定するサブ設定との２段階の設定が行え、前記メイン設定で指定される給紙方法情報毎に前記サブ設定で指定された用紙種別情報を関連付けて保存し、該保存した設定情報に基づいて印刷ジョブを生成して印刷装置に出力する印刷指示端末で用いられる処理プログラムであって、
前記サブ設定の用紙種別を指定する指示がされた場合、その時に指定されているメイン設定の給紙方法情報が当該指示対象のサブ設定で有効なものであるか否かを判定する判定ステップと、
前記判定ステップにより有効なものでないと判定した場合、誤操作を警告する処理を行う警告処理ステップと
を実行することを特徴とする処理プログラム。
【請求項９】
前記警告処理ステップは、
誤操作を警告する処理を行う際、現在指定されているメイン設定の給紙方法情報を有効な給紙方法情報に自動的に変更しても良いかを問い合わせる処理を行う処理ステップと、
前記処理ステップによる問い合わせに対して自動的に変更しても良い応答が合った場合、現在指定されているメイン設定の給紙方法情報を有効な給紙方法情報に自動的に変更処理する自動変更処理ステップと
を実行することを特徴とする請求項８記載の処理プログラム。
【請求項１０】
複数のメイン設定と、前記複数のメイン設定毎にその詳細を設定する複数のサブ設定との２段階の設定が行え、各メイン設定のメイン設定内容毎に関連付けて前記サブ設定のサブ設定内容を保存し、該保存した設定内容に基づいて所定の処理を行う処理装置の誤操作回避方法であって、
前記サブ設定のサブ設定内容を指定する指示がされた場合、その時に指定されているメイン設定内容が当該指示対象のサブ設定で有効なものであるか否かを判定し、
前記判定により有効なものでないと判定した場合、誤操作を警告する
ことを特徴とする誤操作回避方法。
【請求項１１】
前記誤操作を警告する際、現在指定されているメイン設定内容を有効なメイン設定内容に自動的に変更しても良いかを問い合わせ、
前記問い合わせに対して自動的に変更しても良い応答が合った場合、現在指定されているメイン設定内容を有効なメイン設定内容に自動的に変更する
ことを特徴とする請求項１０記載の誤操作回避方法。
【請求項１２】
複数の給紙方法の中からいずれかの給紙方法を指定するメイン設定と、前記メイン設定で指定された複数の給紙方法毎に用紙種別を指定するサブ設定との２段階の設定が行え、前記メイン設定で指定される給紙方法情報毎に前記サブ設定で指定された用紙種別情報を関連付けて保存し、該保存した設定情報に基づいて印刷ジョブを生成して印刷装置に出力する印刷指示端末の誤操作回避方法であって、
前記サブ設定の用紙種別を指定する指示がされた場合、その時に指定されているメイン設定の給紙方法情報が当該指示対象のサブ設定で有効なものであるか否かを判定し、
前記判定により有効なものでないと判定した場合、誤操作を警告する
ことを特徴とする誤操作回避方法。
【請求項１３】
前記誤操作を警告する際、現在指定されているメイン設定の給紙方法情報を有効な給紙方法情報に自動的に変更しても良いかを問い合わせ、前記問い合わせに対して自動的に変更しても良い応答が合った場合、現在指定されているメイン設定の給紙方法情報を有効な給紙方法情報に自動的に変更することを特徴とする請求項１２記載の誤操作回避方法。
【発明の詳細な説明】
【０００１】
【発明の属する技術分野】
本発明は、複数のメイン設定と、それら複数のメイン設定毎にその詳細を設定する複数のサブ設定との２段階の設定が行え、各メイン設定のメイン設定内容毎に関連付けてサブ設定のサブ設定内容を保存し、この保存した設定内容に基づいて所定の処理を行う処理装置に関し、特に、ユーザの誤操作を回避しユーザが意図する処理を確実に行うことができるようにした処理装置、印刷指示端末、それらの処理プログラム及びそれらの誤操作回避方法に関するものである。
【０００２】
【従来の技術】
例えば、上述のような複数のメイン設定と、それら複数のメイン設定毎にその詳細を設定する複数のサブ設定との２段階の設定が行え、各メイン設定のメイン設定内容毎に関連付けてサブ設定のサブ設定内容を保存し、この保存した設定内容に基づいて所定の処理を行う処理装置の一つとして、手差し給紙トレイ及び自動給紙トレイを含む複数の給紙トレイを具えた印刷装置に対して印刷指示の処理を行う印刷指示端末（パーソナルコンピュータ等のユーザ端末）が知られている。
【０００３】
ところで、この印刷指示端末における印刷設定画面（図７参照）においては、例えば、上記メイン設定として複数の給紙方法のいずれかを指定可能な「用紙トレイ選択」設定項目を具えている。
【０００４】
そして、その「用紙トレイ選択」設定項目には、複数の給紙方法を選択する選択肢として、例えば、予め印刷装置に設定されている自動給紙トレイ毎に収容されている用紙の用紙種別を示す紙質設定情報に基づいてユーザにより指定された用紙種別の用紙を収容している自動給紙トレイを自動的に選択して給紙を行うＡＰＳ（Ａｕｔｏ  Ｐａｐｅｒ  Ｓｅｌｅｃｔ）機能を用いたＡＰＳ自動給紙方法を指定する「自動選択」等の選択肢や、ユーザにより指定された自動給紙トレイから給紙を行う指定自動給紙トレイ給紙方法を指定する「トレイ１」，「トレイ２」，…「トレイＮ（Ｎ：任意の整数）」等の選択肢や、ユーザにより指定された手差しトレイから給紙を行う指定手差しトレイ給紙方法を指定する「手差しトレイ１」，「手差しトレイ２」，…「手差しトレイＭ（Ｍ：任意の整数）」等の選択肢を具えている。
【０００５】
即ち、ユーザはそのような「用紙トレイ選択」設定項目を用いてＡＰＳ自動給紙方法や、指定自動給紙トレイ給紙方法や、指定手差しトレイ給紙方法を指定できる。
【０００６】
また、上記印刷設定画面においては、例えば、上記サブ設定として上記メイン設定において選択指定した給紙方法毎に個別に給紙する用紙の用紙種別を指定可能な「用紙種別指定」ボタン及び「手差し設定」ボタンを具えている。即ち、このような印刷指示端末では、１つの印刷ジョブにて複数の用紙トレイを選択すると共に、それら選択した複数の用紙トレイ毎に給紙する用紙種別を指定することができるものである。
【０００７】
具体的には、例えば、上記メイン設定において選択指定した「自動選択」および「トレイ１」，…「トレイＮ」で共通に給紙する用紙の用紙種別を指定する為の設定画面に遷移する「用紙種類の優先指定」ボタンと、上記メイン設定において選択指定した「手差しトレイ１」，…「手差しトレイＭ」で給紙する用紙の用紙種別を指定する為の設定画面に遷移する「手差し設定」ボタンとを具えている。
【０００８】
即ち、ユーザはそのような「用紙種類の優先指定」ボタンや「手差し設定」ボタンを用いて、「用紙トレイ選択」設定項目にて指定した給紙方法「自動選択」や、「トレイ１」，…「トレイＮ」のいずれか、「手差しトレイ１」，…「手差しトレイＭ」のいずれか毎に給紙する用紙の用紙種別を指定できる。
【０００９】
そして、このような印刷設定画面構成を有した印刷指示装置においては、上述の「用紙トレイ選択」設定項目でユーザにより指定された給紙方法の情報と、上述の「用紙種類の優先指定」ボタンや「手差し設定」ボタンで遷移した設定画面にてユーザにより指定された用紙種別情報とをそのまま関連付けて記憶し、この記憶した設定情報を含んだ印刷ジョブを生成して印刷装置に出力している。
【００１０】
ところで、従来では、ユーザの中には、上述のサブ設定となる「用紙種類の優先指定」ボタン或いは「手差し設定」ボタンを押下して遷移した設定画面にて用紙種別のみを指定し、メイン設定となる「用紙トレイ選択」設定項目において現在指定されている選択肢を確認しないユーザがいる。即ち、現在指定した用紙種別がどの給紙方法における用紙種別の指定であるのかを確認しないユーザがいる。
【００１１】
すると、従来では、メイン設定で指定されている選択肢に該当する給紙方法を示す情報と、そのメイン設定で指定されている選択肢毎に指定されているサブ設定の用紙種別を示す情報をそのまま関連付けて設定情報として記憶し、その設定情報を印刷ジョブに付加して印刷装置に出力しているので、印刷装置においてユーザの意図と異なるトレイからの給紙が行われる虞がある。
【００１２】
例えば、ユーザがサブ設定の「手差し設定」にて用紙種別「厚紙」を指定したとき、メイン設定の「用紙トレイ選択」設定項目で選択肢：「自動選択」が指定されていると、給紙方法「自動選択」と用紙種別「厚紙」が関連付けて記憶され、その設定情報を含む印刷ジョブを生成して印刷装置に向けて出力する。すると、印刷装置では、給紙方法が自動であることと、用紙種別が厚紙であることを認識して自動用紙選択機能（ＡＰＳ機能）を用いて厚紙が収容されている自動給紙トレイを自動的に選択して給紙を行い印刷を実行する。即ち、ユーザは手差しトレイにセットされている厚紙を給紙させようとしたのだが、実際にはユーザが所望した手差しトレイではなく意図しない自動給紙トレイからの給紙が行われてしまう。
【００１３】
また、従来では、ユーザの中には、上述のサブ設定となる「用紙種類の優先指定」ボタン或いは「手差し設定」ボタンを押下して遷移した設定画面にて用紙種別を指定すれば、メイン設定となる「用紙トレイ選択」設定項目において適切な給紙方法が自動的に変更設定されると勘違いしているユーザもいる。
【００１４】
例えば、ユーザがサブ設定となる「手差し設定」ボタンを押下して遷移した設定画面にて手差しトレイから給紙する用紙の種別を指定するだけで、メイン設定となる「用紙トレイ選択」設定項目の選択肢が「手差しトレイ」に自動的に変更されると勘違いしているユーザもいる。
【００１５】
すると、このような場合も、印刷装置においてユーザの意図と異なるトレイからの給紙が行われる虞がある。
【００１６】
尚、近い従来技術としては、例えば以下の特許文献１に記されているようなものが知られている。
【００１７】
【特許文献１】
特開２０００−２２５７５２号。
【００１８】
【発明が解決しようとする課題】
上述の如く、従来の処理装置にあっては、メイン設定で指定されているメイン設定情報と、そのメイン設定情報の下位設定情報を設定するサブ設定においてユーザにより指定されたサブ設定情報とをそのまま関連付けて設定情報として記憶し、その記憶した設定情報に従って所定の処理を行っているので、ユーザの意図と異なる処理が行われる虞があった。
【００１９】
また、特に、従来の印刷指示端末にあっては、メイン設定で指定されている選択肢に該当する給紙方法を示す情報と、そのメイン設定で指定されている選択肢毎に指定されているサブ設定の用紙種別を示す情報をそのまま関連付けて設定情報として記憶し、印刷ジョブに付加して出力するようにしているため、印刷装置においてユーザの意図と異なるトレイからの給紙が行われ、ユーザが意図しない出力結果が出てしまうという虞があった。
【００２０】
そこで、本発明は上記実状に鑑み、ユーザによりサブ設定が指定された際、その指定されたサブ設定がその時指定されているメイン設定に有効なものでない場合にユーザに対して警告を行ったり、その警告と共にメイン設定が有効となるように自動変更設定することにより、ユーザの誤操作を回避しユーザが意図する処理を確実に行うことが可能な処理装置、印刷指示端末、およびそれらの処理プログラム、誤操作回避方法の提供を目的とするものである。
【００２１】
【課題を解決するための手段】
上述した目的を達成するため、請求項１の発明は、複数のメイン設定と、前記複数のメイン設定毎にその詳細を設定する複数のサブ設定との２段階の設定が行え、各メイン設定のメイン設定内容毎に関連付けて前記サブ設定のサブ設定内容を保存し、該保存した設定内容に基づいて所定の処理を行う処理装置において、前記サブ設定のサブ設定内容を指定する指示がされた場合、その時に指定されているメイン設定内容が当該指示対象のサブ設定で有効なものであるか否かを判定する判定手段と、前記判定手段により有効なものでないと判定した場合、誤操作を警告する警告手段とを具備することを特徴とする。
【００２２】
また、請求項２の発明は、請求項１の発明において、前記警告手段は、誤操作を警告する際、現在指定されているメイン設定内容を有効なメイン設定内容に自動的に変更しても良いかを問い合わせ、前記問い合わせに対して自動的に変更しても良い応答が合った場合、現在指定されているメイン設定内容を有効なメイン設定内容に自動的に変更する自動変更手段を更に具備することを特徴とする。
【００２３】
また、請求項３の発明は、請求項１又は２の発明において、前記処理装置は、前記保存した設定内容に基づいて印刷ジョブを生成し、印刷装置に出力する印刷指示端末であり、前記複数のメイン設定は、給紙方法を指定する複数の給紙方法設定であり、前記複数のサブ設定は、前記複数の給紙方法毎の用紙種別を指定する複数の用紙種別設定であり、前記判定手段は、前記用紙種別設定の用紙種別情報を指定する指示がされた場合、その時に指定されている給紙方法設定が当該指示対象の用紙種別設定で有効なものであるか否かを判定することを特徴とする。
【００２４】
また、請求項４の発明は、複数の給紙方法の中からいずれかの給紙方法を指定するメイン設定と、前記メイン設定で指定された複数の給紙方法毎に用紙種別を指定するサブ設定との２段階の設定が行え、前記メイン設定で指定される給紙方法情報毎に前記サブ設定で指定された用紙種別情報を関連付けて保存し、該保存した設定情報に基づいて印刷ジョブを生成して印刷装置に出力する印刷指示端末において、前記サブ設定の用紙種別を指定する指示がされた場合、その時に指定されているメイン設定の給紙方法情報が当該指示対象のサブ設定で有効なものであるか否かを判定する判定手段と、前記判定手段により有効なものでないと判定した場合、誤操作を警告する警告手段とを具備することを特徴とする。
【００２５】
また、請求項５の発明は、請求項４の発明において、前記警告手段は、誤操作を警告する際、現在指定されているメイン設定の給紙方法情報を有効な給紙方法情報に自動的に変更しても良いかを問い合わせ、前記問い合わせに対して自動的に変更しても良い応答が合った場合、現在指定されているメイン設定の給紙方法情報を有効な給紙方法情報に自動的に変更する自動変更手段を更に具備することを特徴とする。
【００２６】
また、請求項６の発明は、複数のメイン設定と、前記複数のメイン設定毎にその詳細を設定する複数のサブ設定との２段階の設定が行え、各メイン設定のメイン設定内容毎に関連付けて前記サブ設定のサブ設定内容を保存し、該保存した設定内容に基づいて所定の処理を行う処理装置で用いられる処理プログラムであって、前記サブ設定のサブ設定内容を指定する指示がされた場合、その時に指定されているメイン設定内容が当該指示対象のサブ設定で有効なものであるか否かを判定する判定ステップと、前記判定ステップにより有効なものでないと判定した場合、誤操作を警告する処理を行う警告処理ステップとを実行することを特徴とする。
【００２７】
また、請求項７の発明は、請求項６の発明において、前記警告処理ステップは、誤操作を警告する処理を行う際、現在指定されているメイン設定内容を有効なメイン設定内容に自動的に変更しても良いかを問い合わせる処理を行う処理ステップと、前記処理ステップによる問い合わせに対して自動的に変更しても良い応答が合った場合、現在指定されているメイン設定内容を有効なメイン設定内容に自動的に変更処理する自動変更処理ステップとを実行することを特徴とする。
【００２８】
また、請求項８の発明は、複数の給紙方法の中からいずれかの給紙方法を指定するメイン設定と、前記メイン設定で指定された複数の給紙方法毎に用紙種別を指定するサブ設定との２段階の設定が行え、前記メイン設定で指定される給紙方法情報毎に前記サブ設定で指定された用紙種別情報を関連付けて保存し、該保存した設定情報に基づいて印刷ジョブを生成して印刷装置に出力する印刷指示端末で用いられる処理プログラムであって、前記サブ設定の用紙種別を指定する指示がされた場合、その時に指定されているメイン設定の給紙方法情報が当該指示対象のサブ設定で有効なものであるか否かを判定する判定ステップと、前記判定ステップにより有効なものでないと判定した場合、誤操作を警告する処理を行う警告処理ステップとを実行することを特徴とする。
【００２９】
また、請求項９の発明は、請求項８の発明において、前記警告処理ステップは、誤操作を警告する処理を行う際、現在指定されているメイン設定の給紙方法情報を有効な給紙方法情報に自動的に変更しても良いかを問い合わせる処理を行う処理ステップと、前記処理ステップによる問い合わせに対して自動的に変更しても良い応答が合った場合、現在指定されているメイン設定の給紙方法情報を有効な給紙方法情報に自動的に変更処理する自動変更処理ステップとを実行することを特徴とする。
【００３０】
また、請求項１０の発明は、複数のメイン設定と、前記複数のメイン設定毎にその詳細を設定する複数のサブ設定との２段階の設定が行え、各メイン設定のメイン設定内容毎に関連付けて前記サブ設定のサブ設定内容を保存し、該保存した設定内容に基づいて所定の処理を行う処理装置の誤操作回避方法であって、前記サブ設定のサブ設定内容を指定する指示がされた場合、その時に指定されているメイン設定内容が当該指示対象のサブ設定で有効なものであるか否かを判定し、前記判定により有効なものでないと判定した場合、誤操作を警告することを特徴とする。
【００３１】
また、請求項１１の発明は、請求項１０の発明において、前記誤操作を警告する際、現在指定されているメイン設定内容を有効なメイン設定内容に自動的に変更しても良いかを問い合わせ、前記問い合わせに対して自動的に変更しても良い応答が合った場合、現在指定されているメイン設定内容を有効なメイン設定内容に自動的に変更することを特徴とする。
【００３２】
また、請求項１２の発明は、複数の給紙方法の中からいずれかの給紙方法を指定するメイン設定と、前記メイン設定で指定された複数の給紙方法毎に用紙種別を指定するサブ設定との２段階の設定が行え、前記メイン設定で指定される給紙方法情報毎に前記サブ設定で指定された用紙種別情報を関連付けて保存し、該保存した設定情報に基づいて印刷ジョブを生成して印刷装置に出力する印刷指示端末の誤操作回避方法であって、前記サブ設定の用紙種別を指定する指示がされた場合、その時に指定されているメイン設定の給紙方法情報が当該指示対象のサブ設定で有効なものであるか否かを判定し、前記判定により有効なものでないと判定した場合、誤操作を警告することを特徴とする。
【００３３】
また、請求項１３の発明は、請求項１２の発明において、前記誤操作を警告する際、現在指定されているメイン設定の給紙方法情報を有効な給紙方法情報に自動的に変更しても良いかを問い合わせ、前記問い合わせに対して自動的に変更しても良い応答が合った場合、現在指定されているメイン設定の給紙方法情報を有効な給紙方法情報に自動的に変更することを特徴とする。
【００３４】
【発明の実施の形態】
以下、本発明に係わる実施の形態を添付図面を参照して詳細に説明する。
【００３５】
図１は、本発明を適用した印刷システム１００の一構成例を示す図である。
【００３６】
図１において、この印刷システム１００は、クライアント端末１［クライアント端末（１）〜クライアント端末（Ｎ）（Ｎ：任意の整数）］と、印刷装置２とをネットワーク３で接続して構成される。
【００３７】
ここで、クライアント端末１は、印刷装置２に印刷を指示する利用者端末であり、例えば、パーソナルコンピュータ（ＰＣ）で実現される。特に、本実施例では、後述の図４の処理を行うプリンタドライバを有している。
【００３８】
尚、このプリンタドライバは、図示しないインターネット経由でダウンロードしてインストールしても良いし、印刷装置を購入した際に添付されて取得或いは別購入にて取得したＣＤ−ＲＯＭから読み込んでインストールしても良い。
【００３９】
また、印刷装置２は、上記クライアント端末１からの印刷ジョブを受信して用紙への印字処理を実行する。例えば、プリンタや、プリンタ機能やＦＡＸ機能やスキャナ機能等を具える複合機から実現される。そして、本実施例では、複数の自動給紙トレイ毎に収容されている用紙の種別情報を予め設定し、ユーザにより自動給紙方法および用紙種別を指定した印刷が指示された場合、複数の自動給紙トレイから指定された種別の用紙が収容されている自動給紙トレイを自動的に選択し、その選択した自動給紙トレイから用紙を給紙して印刷を行う紙質ＡＰＳ（Ａｕｔｏ  Ｐａｐｅｒ  Ｓｅｌｅｃｔ）機能を有している。また、ユーザにより指定されたトレイ番号に基づき自動給紙対象の自動給紙トレイから用紙を給紙したり、或いはユーザにより指定された手差しトレイからその手差しトレイにセットされている用紙を給紙する機能を有している。また、本実施例では、上述のクライアント端末１のプリンタドライバにて付加された設定情報を解析し、ユーザにより一つの印刷ジョブにおいて指定されている１又は複数の給紙方法及び１又は複数の用紙種別を判別して給紙制御を行うと共に、上記判別した用紙種別情報に基づき用紙種別に応じて適した印刷処理を行う印刷処理制御部を具えている。
【００４０】
また、ネットワーク３は、上記クライアント端末１と印刷装置２とを通信接続するネットワークであり、例えば、ＬＡＮケーブル等により実現される。
【００４１】
また、図２は、図１に示したクライアント端末１の詳細な構成を示す図であり、図３は、図１に示した印刷装置２の詳細な構成を示す図である。
【００４２】
図２において、このクライアント端末１は、例えば、筐体内部に、制御部１１と、表示処理部１２と、操作処理部１３と、記憶媒体読取り／書込み部１４と、作業メモリ部１５と、記憶装置（ＨＤＤ）１６と、通信インタフェース部１７とを具え、筐体外部に、ディスプレイ１−１と、キーボード１−２と、マウス１−３とを具えて構成される。
【００４３】
ここで、制御部１１は、このクライアント端末における各種処理を制御する。特に、本実施例では、ユーザにより印刷装置２での印刷をする為に上述のプリンタドライバを起動する所定の操作が行われた場合に、そのプリンタドライバを立ち上げ、そのソフトの処理動作を制御する。即ち、ユーザが印刷設定をする為の所定のＵＩ画面（図５乃至図１０参照）をディスプレイ１−１上に表示すると共に、その表示したＵＩ画面におけるユーザの入力設定を示す印刷設定情報を付加した印刷ジョブを生成して印刷装置２へ出力する制御を行う。特に、上記印刷設定情報には、▲１▼紙質ＡＰＳにおける用紙種類指定において複数の用紙種類を指定した情報や、▲２▼紙質ＡＰＳと手差し給紙の両方を用いた用紙種類指定においてそれぞれ個別の用紙種類を指定した情報や、▲３▼ＯＨＰ合紙、用紙挿入、バナーシートなどプリント本文と別の用紙を出力する場合の用紙種類指定において、プリント本文とそのプリント本文とは別の用紙それぞれ個別に用紙種類を指定した情報や、▲４▼出力１文書の先頭ページ、最終ページ、または任意のページ等の特定ページと、その他のページそれぞれ個別に用紙種類を指定した情報等が含まれる。
【００４４】
表示処理部１２は、制御部１１の制御の下でディスプレイ１−１への各種情報の表示処理を行う。特に、本実施例では、上記プリンタドライバにおける印刷設定のＵＩ画面（図５乃至図１０参照）の表示処理を行う。
【００４５】
操作処理部１３は、制御部１１の制御の下でキーボード１−２或いはマウス１−３からのユーザ操作に応じた入力信号の入力処理を行う。特に、本実施例では、ディスプレイ１−１に表示された印刷設定のＵＩ画面（図５乃至図１０参照）におけるユーザの設定指定の入力処理を行う。
【００４６】
記憶媒体読取り／書込み部１４は、ＤＶＤや、ＣＤ−ＲＯＭや、フロッピー（登録商標）ディスク等の各種記憶媒体に記憶されているデータを読取ったり、或いはそれら各記憶媒体にデータを書き込む。
【００４７】
作業メモリ部１５は、ワークメモリであり、作業中のデータを一時記憶する。
【００４８】
記憶装置１６は、このクライアント端末１における各種処理プログラムや設定情報やユーザが記憶保持を希望する印刷データ等のデータを記憶保持するハードディスク（ＨＤＤ）や大型のメモリである。
【００４９】
通信インタフェース部１７は、ネットワーク３を介して印刷装置２との印刷ジョブやその印刷ジョブに係わる印刷進捗状況等の情報のやり取りを行うインタフェースである。
【００５０】
ディスプレイ１−１は、各種情報を表示する表示部であり、ユーザとのインタフェースを採る。特に、本実施例では、上述のプリンタドライバに従って所定の印刷設定ＵＩ画面（図５乃至図１０参照）を表示する。
【００５１】
キーボード１−２及びマウス１−３は、ユーザの操作を受け付ける操作部であり、ユーザの操作入力信号を入力するユーザインタフェースを採る。特に、本実施例では、上述のディスプレイ１−１に表示した印刷設定ＵＩ画面（図５乃至図１０参照）上でのユーザ指定を入力する為に用いられる。
【００５２】
即ち、このクライアント端末１は、ユーザの指示に応じて、この装置でワープロソフト等で作成された文書データ或いは描画ソフト等で作成された画像データや、記憶媒体読取り／書込み部１４で読取ったデータや、図示しない通信インタフェース部を介してインターネット等のネットワークから受信したデータ等の印刷を印刷装置２に指示する。尚、図２では特に示していないが、スキャナ等で入力したデータも印刷可能であるものとする。
【００５３】
そして、特に、本実施例では、メイン設定とサブ設定を設定する為にプリンタドライバが後述の図５乃至図１０に示すような印刷設定画面を表示させる。そして、その印刷設定画面には、ユーザが一つの印刷ジョブで複数の用紙トレイ（即ち給紙方法）及びそれら各用紙トレイ（給紙方法）毎に用紙種別を指定する為に、メイン設定として給紙方法（自動選択によるＡＰＳ自動給紙方法、ユーザが指定したトレイ番号の自動給紙トレイから用紙を給紙する指定自動給紙トレイ給紙方法、ユーザが指定した手差しトレイから用紙を給紙する指定手差しトレイ給紙方法）を指定する「用紙トレイ選択」設定項目と、サブ設定として「用紙トレイ選択」設定項目で指定された用紙トレイ（給紙方法）毎に給紙する用紙の用紙種別を指定する設定画面に遷移する「用紙種類の優先指定」ボタンと、「手差し設定」ボタンとを具える。
【００５４】
具体的には、メイン設定の「用紙トレイ選択」設定項目で、ＡＰＳ自動給紙方法を指定する選択肢「自動１」〜「自動Ｎ」，或いは指定自動給紙トレイ給紙方法を指定する選択肢「トレイ１」〜「トレイＭ」を選択した場合に、それら給紙方法により給紙する用紙の用紙種別を指定する設定画面に遷移する「用紙種類の優先指定」ボタンと、他方、メイン設定の「用紙トレイ選択」設定項目で、指定手差しトレイ給紙方法を指定する選択肢「手差しトレイ」を選択した場合に、その給紙方法により給紙する用紙の用紙種別を指定する設定画面に遷移する「手差し設定」設定項目を具えている。
【００５５】
図３において、この印刷装置２は、印刷処理制御部２１と、通信インタフェース部２２と、メモリ部２３と、記憶装置（ＨＤＤ）２４と、印刷機構部２５と、表示・操作パネル部２６とを具えて構成される。
【００５６】
ここで、印刷処理制御部２１は、この印刷装置における印刷処理を制御する制御部である。特に、本実施例では、後述の通信インタフェース部２２を介して上述のクライアント端末１から受信した印刷ジョブＡに付加されている設定情報を解析し、その１つの印刷ジョブにおいて指定されている１又は複数の給紙方法および１又は複数の用紙種別を判別する用紙種別判別手段を有し、この用紙種別判別手段により判別した給紙方法および用紙種別情報と図示しない用紙種別設定テーブルの内容を参照してＡＰＳ機能による給紙制御や、指定された自動給紙トレイ或いは手差しトレイにセットされている用紙を給紙制御すると共に、上記判別した用紙種別情報に基づき用紙種別毎に印刷品質が最良となるように後述の印刷機構部での装置内部の紙送りローラ回転速度や定着温度等の各種印刷処理調節制御を行う。
【００５７】
通信インタフェース部２２は、ネットワーク３を介してクライアント端末１とのデータのやり取りを行うインタフェース部である。
【００５８】
メモリ部２３は、通信インタフェース部２２で受信した印刷データ等を一時記憶したり、ビットマップに展開した印刷データを記憶するワークメモリである。
【００５９】
記憶装置２４は、この印刷装置における各種処理プログラムや設定情報等を記憶保持する。
【００６０】
印刷機構部２５は、手差し給紙トレイや複数の自動給紙トレイ（１〜Ｎ）（Ｎ：任意の整数）を具え、それら給紙トレイにセットされている用紙（所定のフォーマットが印字されている用紙や、ＯＨＰフィルム、ハガキ、カラー用紙、再生紙、光沢紙、普通紙など）に印刷データに基づく画像の印字を行って図示しない出力トレイに出力用紙を排出する一連の印刷工程を行う機構部である。また、ホッチキス止めやパンチング等の後処理も行う。特に、本実施例では、上記印刷処理制御部２１の制御により一つの印刷ジョブにおいてユーザにより指定された複数の用紙種別に応じたＡＰＳ自動給紙制御、指定された自動給紙トレイ或いは手差しトレイからの給紙制御や、その指定された用紙種別毎の各種印刷処理調節を行う。尚、各種印刷処理調節としては、用紙種別毎に種別に適した紙送り速度の調節や定着器における定着温度の調節等を行う。
【００６１】
表示・操作パネル部２６は、タッチパネル等であり、各種情報を表示したり、ユーザの指示操作を入力するユーザインタフェース部である。
【００６２】
次に、上記構成による本発明の処理動作について図４と、図５乃至図１０を参照して説明する。即ち、メインとサブの関係にある設定におけるユーザの誤操作を回避するようにしたクライアント端末における処理動作について説明する。
【００６３】
具体的には、ユーザによりクライアント端末１の印刷設定画面にて、メイン設定となる「用紙トレイ選択」設定のサブ設定を行う為の「手差し設定」或いは「用紙種類の優先指定」の各選択ボタンが押下された際に、その時のメイン設定となる「用紙トレイ選択」で設定されている選択肢が上記選択押下された選択ボタンで特定されるサブ設定で有効でないものが設定されている場合に、ユーザに対して警告メッセージを表示し、その後の動作をユーザに指定させるようにした場合の処理手順について説明する。
【００６４】
図４において、まず、ユーザが、クライアント端末１の所定のワープロソフトで作成した文書を印刷する場合にそのワープロソフトでディスプレイ１−１に表示されるＵＩ画面の所定の印刷指示項目をキーボード１−２或いはマウス１−３等を用いて選択すると、クライアント端末１では、ディスプレイ１−１に図５に示すような印刷画面１００１を表示する。
【００６５】
その後、ユーザは、この印刷設定画面１００１に具わる「プロパティ」ボタン１００１−１をキーボード１−２或いはマウス１−３等を用いて選択押下することにより、ディスプレイ１−１に図６に示す印刷設定画面１００２や、図７に示す印刷設定画面１００３や、図８に示す用紙種類の優先指定画面１００４に切り替え遷移表示させて、各種印刷設定を行う（ステップＳ１０１）。具体的には、一つの印刷ジョブで複数の用紙種別を指定する場合に、各ページ単位毎に給紙方法（「用紙トレイ選択」）及び用紙種別（「用紙種類」）を設定する。
【００６６】
ところで、上記ステップＳ１０１のユーザ指示入力処理において、プリンタドライバ１６−１では、サブ設定の選択ボタン（即ちメイン設定となる給紙方法を指定する「用紙トレイ選択」設定項目１００３−１の各選択肢毎のサブ設定となる用紙種別を指定する「手差し設定」ボタン１００３−４或いは「用紙種類の優先指定」ボタン１００３−２のいずれか）が押下されると（ステップＳ１０１：▲１▼）、従来のように直ぐにサブ設定画面［用紙種類の優先指定画面１００４（図８参照）或いは手差し設定画面１００５（図９参照）］の表示を行わず、現在のメイン設定が、上記押下されたサブ設定に有効なものであるかどうかを判断する（ステップＳ１０２）。即ち、サブ設定の選択ボタンが押下された場合のメイン設定の選択肢がその選択押下されたサブ設定に有効なものであるかどうかを判断する。更に具体的には、この実施例では、サブ設定の「手差し設定」選択ボタン１００３−４が押下された場合には、メイン設定の「用紙トレイ選択」設定項目にて現在指定されている選択肢がそのサブ設定の「手差し設定」で有効な「手差しトレイ」が指定されているかどうかを判断すると共に、他方、サブ設定の「用紙種類の優先指定」選択ボタン１００３−２が押下された場合には、メイン設定の「用紙トレイ選択」設定項目にて現在指定されている選択肢がそのサブ設定の「用紙種類の優先指定」で有効な「自動１」〜「自動Ｎ」のいずれか或いは「トレイ１」〜「トレイＭ」のいずれかが指定されているかどうかを判断する。
【００６７】
そして、この判断の結果、サブ設定が押下された場合のメイン設定が有効でないと判断すると（ステップＳ１０２ＮＯ）、プリンタドライバ１６−１は、ディスプレイ１−１に警告メッセージを表示させる［図１０の（ａ）或いは（ｂ）参照］（ステップＳ１０３）。尚、この実施例では、図１０（ａ）は、ユーザが図７の印刷設定画面１００３でメイン設定となる「用紙トレイ選択」設定項目にて「手差しトレイ」が選択されている場合に、サブ設定の「用紙種類の優先指定」選択ボタン１００３−２を押下した場合の警告メッセージの例を示している。また、図１０（ａ）の例では、その時ユーザが選択したサブ設定が有効となるメイン設定の選択肢「自動１」を示し、メイン設定を有効なものに自動的に変更設定しても良いかをユーザに問う内容も表示している。また、図１０（ｂ）は、ユーザが図７の印刷設定画面１００３でメイン設定となる「用紙トレイ選択」設定項目にて「自動１」が選択されている場合に、サブ設定の「手差し設定」選択ボタン１００３−４を押下した場合の警告メッセージの例を示している。また、図１０（ｂ）の例では、その時ユーザが選択したサブ設定が有効となるメイン設定の選択肢「手差しトレイ」を示し、メイン設定を有効なものに自動的に変更設定しても良いかをユーザに問う内容も表示している。尚、このステップＳ１０３の処理により警告メッセージを通知することで、ユーザは誤操作していることに気付き、それにより、ユーザは意図しない印刷処理が行われてしまうことを未然に防ぐことができる。
【００６８】
その後、プリンタドライバ１６−１は、その表示した警告メッセージに対応してユーザから警告内容に従う操作、即ち、ユーザが指定したサブ設定が有効となるメイン設定に自動的に変更しても良いことを指示する操作（「ＯＫ」ボタンの押下等）がされたかどうかを監視する（ステップＳ１０４）。
【００６９】
この監視の結果、ユーザにより警告内容に従う操作（「ＯＫ」ボタンの押下）が入力されたと判断すると（ステップＳ１０４ＹＥＳ）、プリンタドライバ１６−１では、メイン設定を自動的に有効なものに変更設定する（ステップＳ１０５）。例えば、図１０（ａ）の例では、メイン設定となる「用紙トレイ選択」設定項目で指定される選択肢を「自動１」に自動的に変更して設定する。また、図１０（ｂ）の例では、メイン設定となる「用紙トレイ選択」設定項目で指定される選択肢を「手差しトレイ」に自動的に変更して設定する。
【００７０】
その後、ユーザに対しサブ設定の用紙種別を指定させるべくサブ設定画面の表示を行う（ステップＳ１０６）。即ち、ユーザにより「用紙種類の優先指定」ボタン１００３−２が選択押下されていれば、図８に示す用紙種類の優先指定画面１００４をディスプレイ１−１に切り替え表示し、他方、ユーザにより「手差し設定」ボタン１００３−４が選択押下されていれば、図９に示す手差し設定画面１００５をディスプレイ１−１に切り替え表示する。
【００７１】
そして、ユーザがそれらサブ設定画面を用いてサブ設定となる用紙種別を設定する（Ｓ１０７）。例えば、用紙種別としてユーザが「普通紙」等を指定すると、プリンタドライバ１６−１では、上記ステップＳ１０５の処理において自動的に変更したメイン設定の給紙方法情報（例えば「自動１」）と用紙種別情報（例えば「普通紙」）を関連付けて記憶する。このように、上述のステップＳ１０１▲１▼→ステップＳ１０２ＮＯ→ステップＳ１０３→ステップＳ１０４ＹＥＳ→ステップＳ１０５→ステップＳ１０６→ステップＳ１０７の処理手順を行うことにより、ユーザが意図する印刷設定が行える。
【００７２】
その後、ステップＳ１０１の処理に戻る。
【００７３】
また、他方、上記ステップＳ１０４の監視の結果、ユーザにより警告内容に従わない操作（「キャンセル」ボタンの押下）が入力されたと判断した場合（ステップＳ１０４ＮＯ）、プリンタドライバ１６−１では、メイン設定を設定する為の印刷設定画面１００３をディスプレイ１−１に切り替え表示させる（ステップＳ１０８）。これにより、例えば、ユーザに対し、メイン設定から確認を行わせることができる。
【００７４】
その後、上記ステップＳ１０１に遷移する。
【００７５】
また、上記ステップＳ１０１の処理において、ユーザにより印刷開始ボタン（図５の「ＯＫ」ボタン１００１−２）が押下されると、プリンタドライバ１６−１は、ユーザが指定した設定情報に基づき印刷ジョブを生成して印刷装置２に出力し（ステップＳ１０９）、ここでの印刷設定及び指示処理を終了する。
【００７６】
また、上記ステップＳ１０２の処理において、サブ設定が押下された場合のメイン設定が有効であると判断すると（ステップＳ１０２ＹＥＳ）、ステップＳ１０６に移行してサブ設定画面表示を行う。即ち、この場合は、ユーザの誤操作が行われていないので警告メッセージ画面表示をすることなく従来通りサブ設定画面を表示する。
【００７７】
尚、上記実施例では、ユーザにより自動変更しない応答があった場合（ステップＳ１０４ＮＯ）、ステップＳ１０８にてメイン設定を設定する印刷設定画面１００３を表示し、上記ステップＳ１０１に戻る処理手順を示したが、これ以外に、ステップＳ１０４ＮＯの場合に、ここでの印刷設定処理を強制的に終了しても良い。即ち、印刷設定画面を閉じる。
【００７８】
また、上記実施例では、警告した後ユーザが承諾した場合に有効なメイン設定を自動的に変更設定する構成を示したが、本発明は、これに限定されず、警告のみを行うようにしても良い。例えば、警告メッセージを表示し、確認ＯＫがされた場合にメイン設定に戻るようにしても良い。
【００７９】
また、上記実施例の場合には、ステップＳ１０１でサブ設定の選択ボタンが押下された場合に、上記ステップＳ１０２で現在のメイン設定が押下されたサブ設定に有効なものかどうかを判断し、有効でない場合に、ステップＳ１０３で警告メッセージを表示し、その後、ユーザにより自動変更しても良い指示が有り（ステップＳ１０４ＹＥＳ）、メイン設定を自動的に変更設定（Ｓ１０５）した後にはじめてサブ設定画面を表示する（ステップＳ１０６）ようにしているが、本発明はこれに限定されず、サブ設定の選択ボタンが押下された場合に、現在のメイン設定が押下されたサブ設定に有効なものかどうかを判断し、有効でない場合に、サブ設定画面を表示しつつ、その画面に重ねるようにして警告メッセージを表示してメイン設定を自動変更しても良いかを問い合わせる。
【００８０】
更に、それ以外に、サブ設定の選択ボタンが押下された場合、従来通りサブ設定画面を表示し、ユーザによるサブ設定画面におけるサブ設定を受け付け、その画面の設定を終了する「ＯＫ」ボタンが押下された場合に、はじめて現在のメイン設定が、押下されたサブ設定に有効なものかどうかを判断し、有効であればそのサブ設定画面の表示をやめ、メイン設定画面へと遷移させ、他方、有効でない場合には、サブ設定画面を表示したまま、その画面に重ねるようにして警告メッセージを表示してメイン設定を自動変更しても良いかを問い合わせる。
【００８１】
以上説明した構成によると、ユーザがメインとサブの設定において誤操作をした場合に警告メッセージを表示し、その後の動作をユーザに指定させるようにしたため、ユーザの誤操作を未然に防止し、ユーザは所望する印刷処理を確実に行うことができる。
【００８２】
上記図４の実施例では、本発明を印刷指示装置に適用して印刷指示設定におけるメイン設定とサブ設定におけるユーザ誤操作を回避する為の処理手順を示したが、本発明はこれに限定されず、その他の処理装置でも、図１１に示すような処理手順を持たせることで本発明を適用できるものとする。
【００８３】
即ち、本発明は、複数のメイン設定と、それら複数のメイン設定毎にその詳細を設定する複数のサブ設定との２段階の設定が行え、各メイン設定のメイン設定内容毎に関連付けてサブ設定のサブ設定内容を保存し、この保存した設定内容に基づいて所定の処理を行う処理装置において、図１１に示す処理手順を行う。
【００８４】
図１１に示すように、処理装置において、サブ設定のサブ設定内容（設定情報）を指定する指示がされたかどうかを判定する（ステップＳ１）。
【００８５】
そして、サブ設定のサブ設定内容を指定する指示がされた場合（ステップＳ１ＹＥＳ）に、その時に指定されているメイン設定内容（設定情報）が当該指示対象のサブ設定で有効なものであるかどうかを判定する（ステップＳ２）。
【００８６】
この判定の結果、有効なものでないと判定すると（ステップＳ２ＮＯ）、処理装置では、誤操作が行われたことをユーザに対して警告通知する（ステップＳ３）。この警告通知によりユーザは自分が誤操作をしたことに気付き、それにより、ユーザは意図しない処理が行われてしまうことを未然に防ぐことができる。
【００８７】
警告後、処理装置では、ユーザにより有効なメイン設定内容に自動的に変更しても良い応答が行われたかどうかを判定する（ステップＳ４）。
【００８８】
そして、この判定の結果、自動変更しても良い応答が行われた場合（ステップＳ４ＹＥＳ）、処理装置は、ユーザが指定したサブ設定が有効なメイン設定内容に自動的に変更する（ステップＳ５）。これにより、ユーザは自らメイン設定の設定内容を変更しなくても済む。
【００８９】
また、他方、上記ステップＳ２で有効なものであると判定すると（ステップＳ２ＹＥＳ）、従来通りの通常の処理を行う。
【００９０】
また、他方、上記ステップＳ４で、自動変更しない応答が行われた場合（ステップＳ４ＮＯ）、メイン設定を設定する画面に遷移する。
【００９１】
尚、上記実施例では、ユーザにより自動変更しない応答があった場合（ステップＳ４ＮＯ）、メイン設定を設定する設定画面の表示処理へと遷移する処理手順を示したが、これ以外に、ステップＳ４ＮＯの場合に、ここでの設定処理を強制的に終了しても良い。即ち、設定画面を閉じる。
【００９２】
また、この図１１の処理でも、警告及び自動変更処理を示したが、これに限定されず、警告のみを行うようにしても良い。
【００９３】
以上説明した構成によると、複数のメイン設定と、それら複数のメイン設定毎にその詳細を設定する複数のサブ設定との２段階の設定が行え、各メイン設定のメイン設定内容毎に関連付けてサブ設定のサブ設定内容を保存し、この保存した設定内容に基づいて所定の処理を行う処理装置において、ユーザがメインとサブの設定において誤操作をした場合に警告により注意を喚起することで、誤操作を防ぐことができる。更に、その警告にてユーザが指定したサブ設定が有効となるメイン設定を自動的に変更設定するようにしたため、ユーザがわざわざメイン設定の設定をし直さなくてもユーザの意図する処理が確実に行えるようになる。
【００９４】
また、上記実施例では、用紙種別として用紙の素材に基づく種類のみを示したが、これ以外にも、用紙のサイズに基づく種類であっても良いものとする。
【００９５】
【発明の効果】
以上説明した本発明によれば、ユーザによりサブ設定が指定された際、その指定されたサブ設定がその時指定されているメイン設定に有効なものでない場合にユーザに対して警告を行ったり、その警告と共にメイン設定が有効となるように自動変更設定することにより、ユーザの誤操作を回避することができ、それによりユーザが意図する処理を確実に行うことができる。
【００９６】
特に、印刷指示端末においては、ユーザによりサブ設定の用紙種別の指定がされた際、その指定されたサブ設定がその時指定されているメイン設定の給紙方法に有効なものでない場合にユーザに対して警告を行ったり、その警告と共にメイン設定において有効となる給紙方法を自動的に変更設定することにより、ユーザの印刷設定の誤指定を回避することができ、それによりユーザの意図と異なるトレイからの給紙が行われることを未然に防止し、ユーザは意図する出力結果を確実に得ることができる。
【図面の簡単な説明】
【図１】本発明を適用した印刷システムの一構成例を示す図。
【図２】図１に示したクライアント端末の詳細な構成を示す図。
【図３】図１に示した印刷装置の詳細な構成を示す図。
【図４】本発明に係わる処理動作手順を示すフローチャート。
【図５】印刷画面の一構成例を示す図。
【図６】印刷設定画面の一構成例を示す図。
【図７】印刷設定画面の一構成例を示す図。
【図８】用紙種類の優先設定画面の一構成例を示す図。
【図９】手差し設定画面の一構成例を示す図。
【図１０】警告画面の一構成例を示す図。
【図１１】本発明に係わる処理動作手順を示すフローチャート。
【符号の説明】
１００…印刷システム、１…クライアント端末（１），クライアント端末（２）、２…印刷装置、３…ネットワーク、１１…制御部、１２…表示処理部、１３…操作処理部、１４…記憶媒体読取り／書込み部、１５…作業メモリ部、１６…記憶装置（ＨＤＤ）、１６−１…プリンタドライバソフト、１７…通信インタフェース部、１−１…ディスプレイ、１−２…キーボード、１−３…マウス、２１…印刷処理制御部、２１−１…印刷ジョブ解析処理部、２２…通信インタフェース部、２３…メモリ部、２４…記憶装置、２５…印刷機構部
【図１】
2005011253.tif 000003
【図２】
2005011253.tif 000004
【図３】
2005011253.tif 000005
【図４】
2005011253.tif 000006
【図５】
2005011253.tif 000007
【図６】
2005011253.tif 000008
【図７】
2005011253.tif 000009
【図８】
2005011253.tif 000010
【図９】
2005011253.tif 000011
【図１０】
2005011253.tif 000012
【図１１】
2005011253.tif 000013